(57)【特許請求の範囲】
【請求項１】
順方向を伝送方向とする波長多重光から自ノードに割り当てられた波長成分光をドロップすると共に、逆方向を伝送方向とする波長多重光から自ノードに割り当てられた波長成分光をドロップし、かつ、対応する光送受信装置からの順方向への波長成分光を順方向の波長多重光にアッドすると共に、上記光送受信装置からの逆方向への波長成分光を逆方向の波長多重光にアッドする双方向波長多重光アッド・ドロップ装置において、
循環方向が同一の完全循環型のＡ、Ｂ、Ｃ、Ｄの４端子を有する第１及び第２のサーキュレータを備え、
第１のサーキュレータのＡ端子は、逆方向に隣接するノード側と繋がっている第１の入出力ポートに接続され、第２のサーキュレータのＡ端子は、順方向に隣接するノード側と繋がっている第２の入出力ポートに接続され、
第１のサーキュレータのＣ端子は、上記光送受信装置と接続されている第１の入出力ポートに接続され、第２のサーキュレータのＣ端子は、上記光送受信装置と接続されている第２の入出力ポートに接続され、
第１のサーキュレータのＢ端子及び第２のサーキュレータのＤ端子は、順方向に伝送されている波長多重光から自ノードがドロップする波長成分光を反射する少なくとも１個のファイバブラッグ回折格子、及び、順方向に伝送されている波長多重光に自ノードがアッドする波長成分光を反射する少なくとも１個のファイバブラッグ回折格子を有する１本の光伝送路を介して接続され、
第２のサーキュレータのＢ端子及び第１のサーキュレータのＤ端子は、逆方向に伝送されている波長多重光から自ノードがドロップする波長成分光を反射する少なくとも１個のファイバブラッグ回折格子、及び、逆方向に伝送されている波長多重光に自ノードがアッドする波長成分光を反射する少なくとも１個のファイバブラッグ回折格子を有する１本の光伝送路を介して接続されている
ことを特徴とする双方向波長多重光アッド・ドロップ装置。
【請求項２】
上記複数のファイバブラッグ回折格子の少なくとも一部が反射波長を変化できる波長可変型のものであることを特徴とする請求項１に記載の双方向波長多重光アッド・ドロップ装置。
【発明の詳細な説明】
【０００１】
【発明の属する技術分野】
本発明は双方向波長多重光アッド・ドロップ装置に関し、例えば、リング状光ネットワークやバス状光ネットワークに適用し得るものである。
【０００２】
【従来の技術】
双方向のリング状光ネットワークにおいては、同一の光ファイバを双方向共に適用することが、コスト面や、ネットワークの柔軟性に容易に対応できる面（例えば光ファイバの敷設作業が少ない等）などから好ましい。また、双方向共に同一の光ファイバを適用したリング状光ネットワークにおいても、多数の通信チャネル数に容易に対応できるなどから、波長多重光を伝送に利用することが好ましい。
【０００３】
このような同一の光ファイバによって双方向に対応したり、波長多重光を取り扱ったりするリング状光ネットワークにおいては、双方向波長多重光アッド・ドロップ装置が重要な構成要素となっている。すなわち、リング状光ネットワークを巡回している波長多重光から該当する波長成分光を、対応する光送受信装置にドロップしたり、対応する光送受信装置からの所定の波長成分光をリング状光ネットワークを巡回している波長多重光にアッドしたりする双方向波長多重光アッド・ドロップ装置が重要な構成要素となっている。
【０００４】
そして、従来から、双方向波長多重光アッド・ドロップ装置として各種のものが提案されている（非特許文献１、非特許文献２参照）。
【０００５】
【非特許文献１】
Ｋ．−Ｐ．Ｈｏ，ａｎｄ  Ｓ．−Ｋ．Ｌｉａｗ，“Ｅｉｇｈｔ−ｃｈａｎｎｅｌ  ｂｉｄｉｒｅｃｔｉｏｎａｌ  ＷＤＭ  ａｄｄ／ｄｒｏｐ  ｍｕｌｔｉｐｌｅｘｅｒ．”Ｅｌｅｃｔｒｏｎ．  Ｔｅｃｈｎｏｌ．  Ｌｅｔｔ．，  ｖｏｌ．３４，ｐｐ．９４７−９４８，１９９８
【０００６】
【非特許文献２】
Ｊ．Ｋｉｍ，ａｎｄ  Ｂ．Ｌｅｅ，“Ｂｉｄｉｒｅｃｔｉｏｎａｌ  ｗａｖｅｌｅｎｇｔｈ  ａｄｄ−ｄｒｏｐ  ｍｕｌｔｉｐｌｅｘｅｒ  ｕｓｉｎｇ  ｍｕｌｔｉｐｏｒｔ  ｏｐｔｉｃａｌ  ｃｉｒｃｕｌａｔｏｒｓ  ａｎｄ  ｆｉｂｅｒ  Ｂｒａｇｇ  ｇｒａｔｉｎｇｓ．”  ＩＥＥＥ  Ｐｈｏｔｏｎ．  Ｔｅｃｈｎｏｌ．  Ｌｅｔｔ．，  ｖｏｌ．１２，ｐｐ．５６１−５６３，２０００
【０００７】
【発明が解決しようとする課題】
しかしながら、従来の各種の双方向波長多重光アッド・ドロップ装置は、双方向にしかも波長多重光に対応すべく、多くの光学素子から構成されており、当該アッド・ドロップ装置における伝送ロスなどが大きいものであった。
【０００８】
そのため、伝送ロスなどを抑えることができる、簡易な構成の双方向波長多重光アッド・ドロップ装置が望まれている。
【０００９】
【課題を解決するための手段】
かかる課題を解決するために、本発明は、順方向を伝送方向とする波長多重光から自ノードに割り当てられた波長成分光をドロップすると共に、逆方向を伝送方向とする波長多重光から自ノードに割り当てられた波長成分光をドロップし、かつ、対応する光送受信装置からの順方向への波長成分光を順方向の波長多重光にアッドすると共に、上記光送受信装置からの逆方向への波長成分光を逆方向の波長多重光にアッドする双方向波長多重光アッド・ドロップ装置を、以下のように構成したことを特徴とする。
【００１０】
すなわち、循環方向が同一の完全循環型のＡ、Ｂ、Ｃ、Ｄの４端子を有する第１及び第２のサーキュレータを備え、第１のサーキュレータのＡ端子は、逆方向に隣接するノード側と繋がっている第１の入出力ポートに接続され、第２のサーキュレータのＡ端子は、順方向に隣接するノード側と繋がっている第２の入出力ポートに接続され、第１のサーキュレータのＣ端子は、上記光送受信装置と接続されている第１の入出力ポートに接続され、第２のサーキュレータのＣ端子は、上記光送受信装置と接続されている第２の入出力ポートに接続され、第１のサーキュレータのＢ端子及び第２のサーキュレータのＤ端子は、順方向に伝送されている波長多重光から自ノードがドロップする波長成分光を反射する少なくとも１個のファイバブラッグ回折格子、及び、順方向に伝送されている波長多重光に自ノードがアッドする波長成分光を反射する少なくとも１個のファイバブラッグ回折格子を有する１本の光伝送路を介して接続され、第２のサーキュレータのＢ端子及び第１のサーキュレータのＤ端子は、逆方向に伝送されている波長多重光から自ノードがドロップする波長成分光を反射する少なくとも１個のファイバブラッグ回折格子、及び、逆方向に伝送されている波長多重光に自ノードがアッドする波長成分光を反射する少なくとも１個のファイバブラッグ回折格子を有する１本の光伝送路を介して接続されていることを特徴とする。
【００１１】
ここで、上記複数のファイバブラッグ回折格子の少なくとも一部が反射波長を変化できる波長可変型のものであることが好ましい。
【００１２】
【発明の実施の形態】
（Ａ）第１の実施形態
以下、本発明による双方向波長多重光アッド・ドロップ装置の第１の実施形態を図面を参照しながら詳述する。
【００１３】
（Ａ−１）第１の実施形態の構成
図１は、第１の実施形態の双方向波長多重光アッド・ドロップ装置のリング状光ネットワークにおける位置付けを示すブロック図である。
【００１４】
図１において、リング状光ネットワーク１は、時計回り及び反時計回りを共に伝送方向とするものであり、このリング状光ネットワーク１には、複数（図１は６個の例）のノードＮ−１〜Ｎ−６が設けられている。隣接する２個のノード間はそれぞれ、１本の光伝送路（ここでは光ファイバとする）２−１２、…、２−６１によって接続されている。
【００１５】
各ノードＮ−１、…、Ｎ−６はそれぞれ、第１の実施形態の双方向波長多重光アッド・ドロップ装置（以下、単に、アッド・ドロップ装置と呼ぶ）１０−１、…、１０−６、及び、光送受信装置１１−１、…、１１−６を有する。
【００１６】
各アッド・ドロップ装置１０−１、…、１０−６はそれぞれ、時計回り方向及び反時計回り方向に巡回している波長多重光から自ノードに割り当てられている波長成分光を分離（ドロップ）して対応する光送受信装置１１−１、…、１１−６に与えると共に、他の波長成分光をそのまま通過させるものである。また、各アッド・ドロップ装置１０−１、…、１０−６はそれぞれ、対応する光送受信装置１１−１、…、１１−６から与えられた波長成分光を、時計回り方向又は反時計回り方向に巡回している波長多重光に多重（アッド）するものである。
【００１７】
なお、各ノードＮ−１、…、Ｎ−６におけるアッド・ドロップ装置１０−１、…、１０−６と、光送受信装置１１−１、…、１１−６とは、２本の光伝送路（ここでは光ファイバとする）によって接続されている。
【００１８】
各アッド・ドロップ装置１０−１、…、１０−６は、割り当てられている波長成分の相違を除けば、同様な構成を有している。図２は、第１の実施形態のアッド・ドロップ装置１０（１０−１、…、１０−６）の構成を示すブロック図である。
【００１９】
図２において、第１の実施形態のアッド・ドロップ装置１０は、２個のサーキュレータ２１及び２２と、４個のファイバブラッグ回折格子３１〜３４とを有している。
【００２０】
各サーキュレータ２１、２２はそれぞれ、４端子（Ａ，Ｂ，Ｃ，Ｄ）の完全循環型のものであり、循環方向は同一のものである（図２は循環方向が時計回り方向の例を示している）。すなわち、端子Ａからの入力光を端子Ｂに出力し、端子Ｂからの入力光を端子Ｃに出力し、端子Ｃからの入力光を端子Ｄに出力し、端子Ｄからの入力光を端子Ａに出力するものである。
【００２１】
第１のサーキュレータ２１のＡ端子は、時計回り方向に隣接するノード（図示せず）と繋がっている光ファイバとの入出力ポートＹ１に接続されており、第２のサーキュレータ２２のＡ端子は、反時計回り方向に隣接するノード（図示せず）と繋がっている光ファイバとの入出力ポートＹ２に接続されている。
【００２２】
また、第１のサーキュレータ２１のＣ端子は、対応する光送受信装置（図示せず）と接続されている第１の光ファイバとの入出力ポートＸ１に接続されており、第２のサーキュレータ２２のＣ端子は、対応する光送受信装置（図示せず）と接続されている第２の光ファイバとの入出力ポートＸ２に接続されている。
【００２３】
さらに、第１のサーキュレータ２１のＢ端子及び第２のサーキュレータ２２のＤ端子は、ファイバブラッグ回折格子３１及び３２を有する１本の光伝送路を介して接続されており、第２のサーキュレータ２２のＢ端子及び第１のサーキュレータ２１のＤ端子は、ファイバブラッグ回折格子３３及び３４を有する１本の光伝送路を介して接続されている。
【００２４】
第１のファイバブラッグ回折格子３１の反射波長λＥＤは、反時計回り方向に巡回している波長多重光から自ノードにドロップする波長成分になされている。第２のファイバブラッグ回折格子３２の反射波長λＥＡは、反時計回り方向に巡回している波長多重光に自ノードがアッドする波長成分になされている。第３のファイバブラッグ回折格子３３の反射波長λＷＤは、時計回り方向に巡回している波長多重光から自ノードにドロップする波長成分になされている。第４のファイバブラッグ回折格子３４の反射波長λＷＡは、時計回り方向に巡回している波長多重光に自ノードがアッドする波長成分になされている。
【００２５】
図示は省略しているが、光送受信装置（１１）は、入出力ポートＸ１に対しては、時計回り方向に巡回している波長多重光に自ノードがアッドする波長成分光（λＷＡ）を入射し、入出力ポートＸ２に対しては、反時計回り方向に巡回している波長多重光に自ノードがアッドする波長成分光（λＥＡ）を入射するようになされている。
【００２６】
（Ａ−２）第１の実施形態の動作
次に、第１の実施形態のアッド・ドロップ装置１０の動作について、図面を参照しながら説明する。
【００２７】
まず、反時計回り方向に巡回している波長多重光から、自ノードを宛先とする波長成分光（λＥＤ）をドロップする動作を説明する。なお、図３には、この場合の光経路を示している。
【００２８】
反時計回り方向に巡回している波長多重光は、入出力ポートＹ１から、第１のサーキュレータ２１のＡ端子に入射されそのＢ端子から出力される。この波長多重光に、自ノードがドロップする波長成分光（λＥＤ）が含まれていると、第１のファイバブラッグ回折格子３１によって、その波長成分光（λＥＤ）だけが反射され、他の波長成分光は第１のファイバブラッグ回折格子３１をそのまま通過する。
【００２９】
第１のファイバブラッグ回折格子３１で反射された波長成分光（λＥＤ）は、第１のサーキュレータ２１のＢ端子に入射されそのＣ端子から出力されて、入出力ポートＸ１を介して図示しない光送受信装置１１に与えられる。
【００３０】
一方、第１のファイバブラッグ回折格子３１を通過した波長多重光（ドロップされた波長成分光以外）は、第２のファイバブラッグ回折格子３２もそのまま通過して第２のサーキュレータ２２のＤ端子に入射されそのＡ端子から出力されて、入出力ポートＹ２を介して、反時計回り方向に次の図示しないノードに向けて送出される。
【００３１】
なお、仮に、反時計回り方向に巡回している波長多重光に、第２のファイバブラッグ回折格子３２の反射波長λＥＡの波長成分光が含まれていた場合には、反射箇所は異なるが、上述の波長成分光（λＥＤ）の場合と同様にしてドロップされる。
【００３２】
次に、時計回り方向に巡回している波長多重光から、自ノードを宛先とする波長成分光（λＷＤ）をドロップする動作を説明する。なお、図４には、この場合の光経路を示している。
【００３３】
時計回り方向に巡回している波長多重光は、入出力ポートＹ２から、第２のサーキュレータ２２のＡ端子に入射されそのＢ端子から出力される。この波長多重光に、自ノードがドロップする波長成分光（λＷＤ）が含まれていると、第３のファイバブラッグ回折格子３３によって、その波長成分光（λＷＤ）だけが反射され、他の波長成分光は第３のファイバブラッグ回折格子３３をそのまま通過する。
【００３４】
第３のファイバブラッグ回折格子３３で反射された波長成分光（λＷＤ）は、第２のサーキュレータ２２のＢ端子に入射されそのＣ端子から出力されて、入出力ポートＸ２を介して図示しない光送受信装置１１に与えられる。
【００３５】
一方、第３のファイバブラッグ回折格子３３を通過した波長多重光（ドロップされた波長成分光以外）は、第４のファイバブラッグ回折格子３４もそのまま通過して第１のサーキュレータ２１のＤ端子に入射されそのＡ端子から出力されて、入出力ポートＹ１を介して、時計回り方向に次の図示しないノードに向けて送出される。
【００３６】
なお、仮に、時計回り方向に巡回している波長多重光に、第４のファイバブラッグ回折格子３４の反射波長λＷＡの波長成分光が含まれていた場合には、反射箇所は異なるが、上述の波長成分光（λＷＤ）の場合と同様にしてドロップされる。
【００３７】
次に、反時計回り方向に巡回している波長多重光に、自ノードを送信元とする波長成分光（λＥＡ）をアッドする動作を説明する。なお、図５には、この場合の光経路を示している。
【００３８】
時計回り方向に巡回している波長多重光にアッドする波長成分光（λＥＡ）は、図示しない光送受信装置から入出力ポートＸ２に入射される。この波長成分光（λＥＡ）は、第２のサーキュレータ２２のＣ端子に入射されそのＤ端子から出力される。その後、第２のファイバブラッグ回折格子３２によって反射され、第２のサーキュレータ２２のＤ端子に入射されそのＡ端子から出力され、入出力ポートＹ２を介して、反時計回り方向に次の図示しないノードに向けて送出される。
【００３９】
なお、仮に、図示しない光送受信装置から入出力ポートＸ２に、第１のファイバブラッグ回折格子３１の反射波長λＥＤの波長成分光が入射された場合には、反射箇所は異なるが、上述の波長成分光（λＥＡ）の場合と同様にしてアッドされる。
【００４０】
次に、時計回り方向に巡回している波長多重光に、自ノードを送信元とする波長成分光（λＷＡ）をアッドする動作を説明する。なお、図６には、この場合の光経路を示している。
【００４１】
時計回り方向に巡回している波長多重光にアッドする波長成分光（λＷＡ）は、図示しない光送受信装置から入出力ポートＸ１に入射される。この波長成分光（λＷＡ）は、第１のサーキュレータ２１のＣ端子に入射されそのＤ端子から出力される。その後、第４のファイバブラッグ回折格子３４によって反射され、第１のサーキュレータ２１のＤ端子に入射されそのＡ端子から出力され、入出力ポートＹ１を介して、時計回り方向に次の図示しないノードに向けて送出される。
【００４２】
なお、仮に、図示しない光送受信装置から入出力ポートＸ１に、第３のファイバブラッグ回折格子３３の反射波長λＷＤの波長成分光が入射された場合には、反射箇所は異なるが、上述の波長成分光（λＷＡ）の場合と同様にしてアッドされる。
【００４３】
（Ａ−３）第１の実施形態の効果
上記第１の実施形態によれば、２個のサーキュレータ及び数個（４個）のファイバブラッグ回折格子という、光学素子数が少ない簡単な構成で双方向波長多重光アッド・ドロップ装置を実現することができる。
【００４４】
また、アッド又はドロップに介在する光学素子数が少ないので、アッド動作時やドロップ動作時でのロスを最小限に抑えることができ、また、単にノードを通過していく波長多重光の伝送ロスなども抑えることができる。
【００４５】
さらに、第１の実施形態の双方向波長多重光アッド・ドロップ装置内においては、反時計回り方向の波長多重光の経路と、時計回り方向の波長多重光の経路とがほぼ完璧に分離されているので、反時計回り方向の波長多重光と時計回り方向の波長多重光とのクロストークを抑えることができる。
【００４６】
（Ｂ）第２の実施形態
次に、本発明による双方向波長多重光アッド・ドロップ装置の第２の実施形態を図面を参照しながら簡単に説明する。
【００４７】
図７は、第２の実施形態のアッド・ドロップ装置の構成を示すブロック図であり、第１の実施形態に係る図２との同一、対応部分には同一、対応符号を付して示している。
【００４８】
第２の実施形態のアッド・ドロップ装置１０Ａは、ドロップする波長成分を反射波長とする第１及び第３のファイバブラッグ回折格子３１や３３、及び、アッドする波長成分を反射波長とする第２及び第４のファイバブラッグ回折格子３２や３４を、可変波長のファイバブラッグ回折格子３１Ａ〜３４Ａに置き換えたものである。
【００４９】
なお、可変波長のファイバブラッグ回折格子は、例えば、その伸縮により反射波長を変化できるものである。
【００５０】
第２の実施形態のアッド・ドロップ装置１０Ａは、その設置時や、ドロップ波長やアッド波長についての割当て波長の変更時などに、当該ノードがドロップする波長成分や、当該ノードがアッドする波長成分を、可変波長の第１〜第４のファイバブラッグ回折格子３１〜３４に対する反射波長の設定によって設定させる。
【００５１】
この設定後においては、第２の実施形態のアッド・ドロップ装置１０Ａは、第１の実施形態のアッド・ドロップ装置１０と同様に動作する。
【００５２】
第２の実施形態のアッド・ドロップ装置１０Ａによっても、第１の実施形態と同様な効果を奏することができる。これに加え、各ノードにおけるドロップ波長やアッド波長を任意に設定できるという効果をも奏する。
【００５３】
（Ｃ）他の実施形態
上記各実施形態においては、反時計回り方向に巡回する波長多重光からドロップする波長成分λＥＤと、反時計回り方向に巡回する波長多重光にアッドする波長成分λＥＡとの関係に言及しなかったが、同一の波長成分であっても良く、異なる波長成分であっても良い。
【００５４】
ドロップする波長成分λＥＤとアッドする波長成分λＥＡとが同一の場合においては、第１のファイバブラッグ回折格子３１及び第２のファイバブラッグ回折格子３２をまとめて１個のファイバブラッグ回折格子を適用しても良く、ドロップする波長成分λＥＤとアッドする波長成分λＥＡとが同一であっても第１のファイバブラッグ回折格子３１及び第２のファイバブラッグ回折格子３２を別個に設けても良い。前者の場合には、アッド動作のタイミングとドロップ動作のタイミングが明確に切り分けられている場合に有効である。
【００５５】
時計回り方向に巡回する波長多重光からドロップする波長成分λＷＤと、時計回り方向に巡回する波長多重光にアッドする波長成分λＷＡとの関係も、上述と同様である。
【００５６】
また、上記各実施形態では、各巡回方向についてドロップする波長成分が１個ずつであり、また、各巡回方向についてアッドする波長成分が１個ずつのものを示したが、各巡回方向についてドロップする波長成分の数やアッドする波長成分の数は、１個に限定されるものではない。
【００５７】
例えば、反時計回り方向に巡回する波長多重光からドロップする波長成分が複数の場合には、第１のサーキュレータ２１のＢ端子及び第２のサーキュレータ２２のＤ端子間の１本の光伝送路に、それぞれの波長成分を反射波長とするファイバブラッグ回折格子を介挿すれば良い。また例えば、反時計回り方向に巡回する波長多重光にアッドする波長成分が複数の場合には、第１のサーキュレータ２１のＢ端子及び第２のサーキュレータ２２のＤ端子間の１本の光伝送路に、それぞれの波長成分を反射波長とするファイバブラッグ回折格子を介挿すれば良い。
【００５８】
時計回り方向についても、ドロップする波長成分が複数の場合やアッドする波長成分が複数の場合には、同様である。
【００５９】
さらに、上記第１の実施形態では、反射波長が固定のファイバブラッグ回折格子を適用した場合を示し、上記第２の実施形態では、反射波長が可変のファイバブラッグ回折格子を適用した場合を示したが、反射波長が固定のファイバブラッグ回折格子と反射波長が可変のファイバブラッグ回折格子とを混在させて適用するようにしても良い。
【００６０】
なお、双方向波長多重光アッド・ドロップ装置に光増幅機能を持たせる場合には、光伝送経路の適宜の位置に光増幅器（例えばＥＤＦＡ）を設ければ良い。
【００６１】
上記では、本発明の双方向波長多重光アッド・ドロップ装置を、リング状光ネットワークに適用する場合を示したが、他の光ネットワークに本発明の双方向波長多重光アッド・ドロップ装置を適用することができる。例えば、図８に示すようなバス状光ネットワークに対しても、本発明の双方向波長多重光アッド・ドロップ装置１０を適用することができる。なお、図８における終端装置１２は、バス状伝送路の終端処理を行っているものである。
【００６２】
【発明の効果】
以上のように、本発明によれば、２個のサーキュレータ及び数個のファイバブラッグ回折格子という、光学素子数が少ない簡単な構成で双方向波長多重光アッド・ドロップ装置を実現できる。
【００６３】
また、アッド又はドロップ動作に介在する光学素子数が少ないので、アッド動作時やドロップ動作時でのロスを最小限に抑えることができ、また、単にノードを通過していく波長多重光の伝送ロスなども抑えることができる。
【００６４】
さらに、本発明の双方向波長多重光アッド・ドロップ装置内においては、順方向の波長多重光の経路と、逆方向の波長多重光の経路とがほぼ完璧に分離されているので、順方向の波長多重光と逆方向の波長多重光とのクロストークを抑えることができる。
【図面の簡単な説明】
【図１】本発明の双方向波長多重光アッド・ドロップ装置を適用し得るリング状光ネットワークの構成例を示すブロック図である。
【図２】第１の実施形態の双方向波長多重光アッド・ドロップ装置の構成を示すブロック図である。
【図３】第１の実施形態の反時計回りに巡回する波長多重光からのドロップ経路の説明図である。
【図４】第１の実施形態の時計回りに巡回する波長多重光からのドロップ経路の説明図である。
【図５】第１の実施形態の反時計回りに巡回する波長多重光へのアッド経路の説明図である。
【図６】第１の実施形態の時計回りに巡回する波長多重光へのアッド経路の説明図である。
【図７】第２の実施形態の双方向波長多重光アッド・ドロップ装置の構成を示すブロック図である。
【図８】本発明の双方向波長多重光アッド・ドロップ装置を適用し得るバス状光ネットワークの構成例を示すブロック図である。
【符号の説明】
１０、１０Ａ、１０−１〜１０−６…双方向波長多重光アッド・ドロップ装置、
１１−１〜１１−６…光送受信装置、
２１、２２…サーキュレータ、
３１〜３４…ファイバブラッグ回折格子、
３１Ａ〜３４Ａ…可変波長のファイバブラッグ回折格子、
Ｘ１、Ｘ２…光送受信側との入出力ポート、
Ｙ１、Ｙ２…ネットワーク側との入出力ポート。
【図１】
0003658598.tif 000002
【図２】
0003658598.tif 000003
【図３】
0003658598.tif 000004
【図４】
0003658598.tif 000005
【図５】
0003658598.tif 000006
【図６】
0003658598.tif 000007
【図７】
0003658598.tif 000008
【図８】
0003658598.tif 000009